(57)【要約】【課題】データアクセス中に切断されることがなく、簡明な構成でコンパクトで信頼性の高いロッキング機構を備えるカードコネクタを提供する。【解決手段】内部にカードを収納するための薄厚矩形の筐体を備えるカードコネクタであって、筐体の周囲４側面のうち１側面は、カードを出し入れするための開口部を備える開口側面であり、筐体には、通電により長手方向への伸縮動作を行う形状記憶合金体を、前記開口側面に略平行に、その一方端側を固定して配設し、形状記憶合金体の可動側の端部には、その伸縮動作と連動して、カードをロックする動作を行うロッキング体を配設して構成される。【選択図】　　　図１
2004031238.tif 000002
【特許請求の範囲】
【請求項１】
内部にカードを収納するための薄厚矩形の筐体を備えるカードコネクタであって、
前記筐体の周囲４側面のうち１側面は、カードを出し入れするための開口部を備える開口側面であり、
前記筐体には、通電により長手方向への伸縮動作を行う形状記憶合金体を、前記開口側面に略平行に、その一方端側を固定して配設し、
前記形状記憶合金体の可動側の端部には、その伸縮動作と連動して、カードをロックする動作を行うロッキング体を配設し、
構成されることを特徴とするカードコネクタ。
【請求項２】
請求項１に記載のカードコネクタにおいて、
動作に伴って前記ロッキング体の位置を保持するため、前記形状記憶合金体とは別個に、前記ロッキング体を拘束するための弾性手段を備える、ことを特徴とするカードコネクタ。
【請求項３】
請求項１に記載のカードコネクタにおいて、
前記筐体は、カードを止めてカードと共に出入方向への移動動作を行うスライダー体を備える、ことを特徴とするカードコネクタ。
【請求項４】
請求項３に記載のカードコネクタにおいて、
前記ロッキング体は、前記スライダー体の動作を拘束する手段を備える、
ことを特徴とするカードコネクタ。
【請求項５】
請求項３または４に記載のカードコネクタにおいて、
前記筐体は、前記スライダー体に対してカード取り出し方向への押圧力を与える弾性手段を備える、ことを特徴とするカードコネクタ。
【請求項６】
内部にカードを収納するための薄厚矩形の筐体を備えるカードコネクタであって、
前記筐体の周囲４側面のうち１側面は、カードを出し入れするための開口部を備える開口側面であり、
前記筐体には、通電により長手方向への伸縮動作を行う形状記憶合金体を、前記開口側面に略直角に、その一方端側を固定して配設し、
前記形状記憶合金体の可動側の端部には、その伸縮動作と連動して、カードをロックする動作を行うロッキング体を配設し、
動作に伴って前記ロッキング体の位置を保持するため、前記形状記憶合金体とは別個に、前記ロッキング体に引張り力を与える弾性手段を備え
前記筐体は、カードを止めてカードと共に出入方向への移動動作を行うスライダー体を備え、
前記ロッキング体は、前記スライダー体の動作を拘束する手段を備え、
前記筐体は、前記スライダー体に対してカード取り出し方向への押圧力を与える弾性手段を備え
構成されることを特徴とするカードコネクタ。
【発明の詳細な説明】
【０００１】
【発明の属する技術分野】
本発明は、メモリカードなどを中に収納して接続するのに適するカードコネクタ（ＭＭＣコネクタなど）にかかり、より詳細には、カード収納保持や排出に用いられるロッキング機構を備えるカードコネクタに関するものである。
【０００２】
【従来の技術】
メモリカードなどを接続するためのカードコネクタは、脱着可能なカードをその内部に受け入れ、収納または保持された状態のままで使用され、データのアクセスなどが行なわれる。ところが、データアクセス中にカードが何らかの原因でカードコネクタから離脱してしまい、これらのデータが突然切断されるという事故が起こることがある。そのため、このような事故がないように、使用者の側において、いつも細心の注意を払っていなければならないという面倒さや不具合が生じている。
【０００３】
【発明が解決しようとする課題】
このようなカードコネクタの接続切断や離脱などにかかわる事故を防止するために、従来のカードコネクタの一例として、データ類を保護するためにソレノイドを利用した磁力を用いる機構によって、カードの脱着を行う、というものがあるが、このようなカードコネクタは、電力消費量が非常に大きい、装置が大型化・重量化する、コストアップにつながるなどの理由によって実用性に欠けるため、製品化するには問題が多い。
【０００４】
本発明は、上記の問題点に鑑みなされたものであり、本発明によるカードコネクタは、大変に簡明な構成で、スペースを取らず、複雑な機構を必要としないコンパクトなカードコネクタを提供することを目的とし、また、万一カードコネクタを落下させたり衝撃を与えたりすることを考慮して、強靭で信頼性が高いロッキング機構を装備することが可能なカードコネクタを提供する、ことも目的としている。
【０００５】
【課題を解決するための手段】
前記課題を解決し、所望の目的を達成するために、本発明によるカードコネクタは、以下のように構成されるものである。
（１）内部にカードを収納するための薄厚矩形の筐体を備えるカードコネクタであって、
前記筐体の周囲４側面のうち１側面は、カードを出し入れするための開口部を備える開口側面であり、
前記筐体には、通電により長手方向への伸縮動作を行う形状記憶合金体を、前記開口側面に略平行に、その一方端側を固定して配設し、
前記形状記憶合金体の可動側の端部には、その伸縮動作と連動して、カードをロックする動作を行うロッキング体を配設して、
構成されるカードコネクタとした。
なお、この（１）の構成を有する本発明によるカードコネクタは、図１〜３において示される。
（２）（１）に記載のカードコネクタにおいて、
動作に伴って前記ロッキング体の位置を保持するため、前記形状記憶合金体とは別個に、前記ロッキング体を拘束するための弾性手段を備える。
（３）（１）に記載のカードコネクタにおいて、
前記筐体は、カードを止めてカードと共に出入方向への移動動作を行うスライダー体を備える。
（４）（３）に記載のカードコネクタにおいて、
前記ロッキング体は、前記スライダー体の動作を拘束する手段を備える。
（５）（３）または（４）に記載のカードコネクタにおいて、
前記筐体は、前記スライダー体に対してカード取り出し方向への押圧力を与える弾性手段を備える。
（６）内部にカードを収納するための薄厚矩形の筐体を備えるカードコネクタであって、
前記筐体の周囲４側面のうち１側面は、カードを出し入れするための開口部を備える開口側面であり、
前記筐体には、通電により長手方向への伸縮動作を行う形状記憶合金体を、前記開口側面に略直角に、その一方端側を固定して配設し、
前記形状記憶合金体の可動側の端部には、その伸縮動作と連動して、カードをロックする動作を行うロッキング体を配設し、
動作に伴って前記ロッキング体の位置を保持するため、前記形状記憶合金体とは別個に、前記ロッキング体に引張り力を与える弾性手段を備え
前記筐体は、カードを止めてカードと共にカード出入方向への移動動作を行うスライダー体を備え、
前記ロッキング体は、前記スライダー体の動作を拘束する手段を備え、
前記筐体は、前記スライダー体に対してカード取り出し方向への押圧力を与える弾性手段を備え、構成されるカードコネクタとした。
なお、この（６）の構成を有する本発明によるカードコネクタは、図４において示される。
【０００６】
【発明の実施の形態】
次に図面を参照して、本発明によるカードコネクタの実施の形態について詳細に説明する。図１は本発明の第１の実施の形態を示す構成説明図であり、また、図２は本発明の第２の実施の形態を、図３は本発明の第３の実施の形態を、図４は本発明の第４の実施の形態を、それぞれ示す構成説明図である。
【０００７】
図１において、図１（ａ）〜（ｃ）は、カードを挿入する前の状態すなわちカードロッキングがかかる前の状態にあるカードコネクタを示しており、（ａ）はその正面図を、　（ｂ）はその上面図を、（ｃ）はその左側面図をそれぞれ示す。そして、図１（ｄ）はカードロッキングが既にかかった状態にあるカードコネクタであり、その正面図を示す。
【０００８】
図１において、本発明のカードコネクタ１００の本体１００’は、正面部１０１からみると略直方体形状であり、上面部１０４から見ると薄厚横長形状であり、全体としてはカード収納可能な薄厚矩形の筐体である。周囲４辺の上辺部にある上部面１０４で開口されて開口側面を形成し、矢印Ｍ１の方向から挿入されるカード（図示せず）を受け入れるため、カード収納部１０２を備える。また、下辺部にある下部面１０７の側には接続用のコネクタ部１８０を複数個備える。
このカードコネクタ１００は、本体１００’の上面部１０４のやや下方に、それと略平行して形状記憶合金体１１０を備える。この形状記憶合金体１１０は、常温で常時弾発付勢を行う螺旋状のスプリング体であるが、通電されて合金自体が発熱することにより、記憶された形状または長さに変形するという性質を持つ合金材料からなる。この形状記憶合金体１１０は、通電と非通電に伴う温度変化を利用して、その形状自体を変化させることができる。
【０００９】
この形状記憶合金体１１０は、正面部１０１の右側面部１０５側にある止め部１１２によって、その右端部が引留められらており、常温では自然な弾性力により左側面部１０６方向に向けて常時付勢を行っている。この形状記憶合金体１１０の左端部には連結部１１４の固着を介して、ロッキング体１２０が連結接続されている。
このロッキング体１２０は、上面部１０４から本体１００内に挿入されたカードを、収納状態を保持して取り出せないようにロックする機構を形成するための主要な構成部材である。そして、このロッキング体１２０は、形状記憶合金体１１０と一体的に連結されているので、形状記憶合金体１１０の弾性的な伸縮または形状変形に伴う動作とは常に連動する動作を行う。
【００１０】
このロッキング体１２０は、全体として「コ」の字状のフックまたは鉤状の形状をなし、形状記憶合金体１１０の長手方向と直線的に連結される主部１２６と、主部１２６から略直角方向へ曲げられる首部１２４と、この首部１２４からまた略直角方向へ曲げられるフック部１２２とからなる。このロッキング体１２０の左右の移動に伴い、フック部１２２は、カードが出し入れされる上面部１０４を開閉してロックする構造を形成する。図１（ｄ）では、矢印Ｍ２はロッキング体１２０の右方向への移動を示し、これに伴いフック部１２２も右方向への移動し、上面部１０４の左側の一部を覆い、カード収納状態を保持するロッキング構造を形成した様子を示す。
【００１１】
そして、ストッパー１４０は、ロッキング体１２０と係合してその位置を保持するための係止用部材であり、第２の形状記憶合金体１３０と一線状に一体的に連結接続されている。このストッパー１４０は、ロッキング体１２０がカードロックした状態となったときに上方に移動されてきて、主部１２６に設けた下向きの係合部１２８とストッパー３０の上端部が凹凸係合して、ロッキング体１２０を位置決めするとともにその状態を保持する。このストッパー１４０は、ロッキング体１２０の移動方向とは略直角方向での移動を可能として構成され、ストッパー１４０−止め部１３４−第２の形状記憶合金体１３０−として一直線状に連結接続されていて、その下端は止め部１３２において正面部１０１に固着される。
【００１２】
さて、図１を参照して、カードコネクタ１００にカードを挿入して収納される手順を次に示す。
１）　カード（図示せず）の受け入れが矢印Ｍ１方向からなされると、形状記憶合金体１１０に通電が行われて所定の電圧が与えられる。
２）　形状記憶合金体１１０は通電により発熱して、それが本来持っている縮もうとする性質から、長手方向の長さが縮小されることとなり、これと連動するロッキング体１２０は、所定のロッキング位置まで矢印Ｍ２方向へ移動されられる。
【００１３】
３）　ロッキング体１２０が、カードが収納される所定のロッキング位置まで右方向に移動して来ると、これまで圧縮されていた第２の形状記憶合金体１３０による自然なスプリング押圧力が上方に働いて、ストッパー１４０は矢印Ｍ３方向へと移動されられ、その先端部がロッキング体１２０の係合部１２８に係合し、ロッキング体１２０とストッパー１４０とが凹凸係合することにより、ロッキング位置が所定の場所に配置されて安定した保持収納構造が形成される。この状態になったら、形状記憶合金体１１０の通電は停止されるが、一方、第２の形状記憶合金体１３０は始めから通電されていない。
【００１４】
またつぎに、カードコネクタ１００にカードが収納された状態を、ユーザーらが解除する場合は、次の手順で行う。
４）　カードコネクタ１００のユーザーらがリリースボタンを押すと通電が始まり、第２の形状記憶合金体１３０に対して通電されて所定電圧が与えられる。形状記憶合金体１３０は発熱して縮小する形状変形を行うため、これに連動するストッパー１４０はロッキング体１２０の係合部１２８から外れて下方に移動するため、ロッキング体１２０は、その左方向への位置移動が可能となる。
５）　形状記憶合金体１１０は非通電で電圧はかかっておらず、自身が有する自然のスプリング力によって左方向に弾性付勢がなされて、ロッキング体１２０は左の元の位置に戻される。
６）　ユーザーは、メモリカードを抜き取ることができる。
【００１５】
つぎに図２を参照するに、この図は本発明のカードコネクタの第２の実施の形態である。図２（ａ）〜（ｃ）は、カードコネクタ２００にカード２９０が挿入されて、カードロッキングがかけられる状況を説明する図である。図２（ａ）はカードコネクタ２００の正面図を、図２（ｂ）はその上面図を、図２（ｃ）はその左側面図をそれぞれ示す。
【００１６】
図２において、本発明によるカードコネクタ２００の概観は、既に説明した図１のそれに類似し、上部からカード２９０を挿入して収納するための薄厚矩形の筐体（本体２００’）を備える。その本体２０１の上部面２０４が開口される開口側面であり、挿入されるカード２９０を受け入れるためのカード収納口２０２を備え、ここから中に入れられたカード２９０は、これを係止して上下移動するスライダー２３０の下端止め部２３１にカード２９０の下端が当たって止まり、スライダー２３０とカード２９０は一緒になって、カードコネクタ２００の本体２０１の底部付近まで移動させられて、収納状態となる。スライダー２３０はその下部を弾性体２４０によって支えられており、弾性体２４０は常時上方向への付勢をおこなう。なお、下辺部側には接続用のコネクタ部（図）２８０を複数個備える。
【００１７】
このカードコネクタ２００は、本体２００’の上面部２０４（開口側面）のやや下方に、上辺と略平行して形状記憶合金体２１０を備える。この形状記憶合金体２１０は、常温では常時の弾発付勢を行う螺旋状のスプリング体であるが、通電されるとそれ自体が発熱することにより、記憶された形状または長さに変形するという性質を持つ合金材料からなる。この形状記憶合金体２１０は、通電と非通電に伴う温度変化を制御することによりその形状を変化させることができる。
この形状記憶合金体２１０は、正面部２０１の右側面部２０５側にある止め部２１２によってその右端が引留められらており、非通電時には常温での自然な弾性力により左側面部２０６方向に向けて常時付勢されている。また、その左端部にはロッキング体２２０が連結接続されており、連動部２２４で係合連結されている。
【００１８】
このロッキング体２２０は、本体２００’側に固定されて設けられた回動支点部２２２を中心に回動する部材であり、中心回動穴２２３の両側にはフック部２２６と連動部２２４とを有し、てこの原理によって回動する構成となっている。また、回動支点部２２２には、ねじりバネ２２５が設けられ、フック部２２６は図２（ｂ）の右回転方向に常時付勢されており、形状記憶合金体２１０との連動により、フック部２２６の開閉の動作（矢印Ｍ２０）を行う。
ロッキング体２２０と連携して上下移動を可能にするスライダー２３０は、その上端面２３２において、ロッキング体２２０のフック部２２６の下端面と当接可能な構造である。スライダー２３０の上端面２３２がフック部２２６の下端面と位置が合って当接しているなら、スライダー２３０は最下方位置にあってカードを収納している状態にある。また、スライダー２３０の上端面２３２がフック部２２６と位置が合っていないと、スライダー２３０は上方に移動が可能となるので、カードがリリースされる状態となる。
【００１９】
弾性付勢されたフック部２２６の回動によって、スライダー２３０は上下方向への移動が拘束され、ロッキング体２２０のフック部２２６と、スライダー２３０の上端面２３２との位置が合ったとき、そのカード２９０の位置が保持されるロッキングする機構が働き、カード収納状態のまま取り出せない構造が形成される。そして、このロッキング体２２０は、連動部２２４において形状記憶合金体２１０と係合連結されているので、形状記憶合金体２１０の自然弾性力と通電形状変化に伴う伸縮の動作とは、常に連動する動作を行う。
【００２０】
さて、この図２を参照して、カードコネクタ２００にカード２９０を挿入して収納される手順を次に示す。
１）　カード２９０が挿入されると、カードと共に上下可動するスライダー２３０の下端止め部２３１にカード２９０の下端が当たってカードが係止され、スライダー２３０とカード２９０は一緒になって、カードコネクタ２００の本体２０１の底部付近まで移動させられる。矢印Ｍ２１は、スライダー２３０の上下移動の様子を示す。
２）　スライダー２３０がロッキング体２２０の下方に移動するとにより、ロッキング体２２０のフック部２２６は、ねじりバネ２２５の弾性力によって右回転方向に倒されると、スライダー２３０の位置が下方に固定され、カード２９０が所定の位置に配置される。
３）カードロッキング構造が完成される。
【００２１】
つぎに、カードコネクタ２００にカード２９０が収納された状態を、ユーザーらが解除する場合は、次の手順で行う。
４）ユーザーがカード２９０を取り出すために、リリースボタンを押すと、形状記憶合金体２１０への通電が始まって所定の電圧が与えられと、長さが縮まる形状に縮小変形を起こす。
５）ロッキング体２２０の連動部２２４は、形状記憶合金体２１０によって図２の右方向へ引っ張られ、ロッキング体２２０のフック部２２６は左回転方向に回動されて開状態となり、弾性体２４０の上方向への付勢によりスライダー２３０が上方向に移動される。
６）スライダー２３０の上方移動と共にカード２９０も移動して出てくるので、カードコネクタ２００よりカード２９０が取り出される。
【００２２】
そのつぎに、図３を参照するに、この図は本発明のカードコネクタの第３の実施の形態である。図３（ａ）〜（ｃ）は、カードコネクタ３００にカード３９０が挿入されて、カードロッキングがかけられる状況を説明する図である。図３（ａ）はカードコネクタ３００の正面図を、図３（ｂ）はその上面図を、図３（ｃ）はその左側面図をそれぞれ示す。
【００２３】
図３においては、本発明によるカードコネクタ２００の基本的な構成は、既に説明した図２のそれに似ているが、このカードコネクタ３００は、本体３００の下面部の下方に、上下辺と略平行した線状体からなる形状記憶合金体３１０を備え、ロッキング体３２０およびスライダー３３０と連動した動きを行う。ここでの形状記憶合金体３１０は線状体であり、通電されて電圧がかけられるとそれ自体が発熱することにより、記憶された長さに伸縮変形するという性質を持ち、図３の形状記憶合金体３１０では、線状体の全長の長さが短縮される。この形状記憶合金体３１０は二つ折りの線状体であって、止め部３１２から始まって左方向へ延線されて、回動フック形状のロッキング体３２０の下方の連動部３２４にある止め部３２５において折り返され、止め部３１２に戻される。また、この止め部３１２は、正面部３０１の下辺右から下方に突出されて形成されており、そこにある端子部（３１３，３１４）より電源Ｅが与えられ通電がなされる。
【００２４】
図３で示される二つの弾性体（３４０，３５０）は、自然な弾性力により常時付勢されており、弾性体３４０はスライダー３３０の下面に押圧力を加えて上方に移動させる力を与えるし、また、弾性体３５０はロッキング体３２０の下方の連動部３２４の右側面に押圧力を与えて連動部３２４を左方向に回動移動させる。
このロッキング体３２０は、本体３００’の左側に固定されて設けられた回動支点部３２２を中心に回動する部材であり、ここの上下側には回動フック部３２６と連動部３２４とを有し、てこの原理によって回動する構成となっている。また、このロッキング体３２０の回動フック部３２６は下端部３２８を有して、スライダー３３０の上端面３３２と位置が合ったときに当接することができる。このロッキング体３２０は、形状記憶合金体３１０との連動により、回動フック部３２６の左右への回動移動（矢印Ｍ３２）を行い、スライダー３３０の上下移動を拘束して、カード挿入または取り出しに伴うカードロッキング動作を行う。
【００２５】
ロッキング体３２０と連携して上下移動を可能にするスライダー３３０は、その上端面３３２において、ロッキング体３２０の回動フック部３２６の下端面３２８と当接可能な構造である。スライダー３３０の上端面３３２と回動フック部３２６の下端面３２８とが当接または係止が可能な位置となるとき、スライダー３３０はカードを収納している状態にある。また、スライダー３３０の上端面３３２と回動フック部３２６の下端面３２８とが当接または係止が可能な位置にないとき、スライダー３３０は上方への移動が可能となって、カードがリリースされる状態となる。
【００２６】
常時付勢の弾性体３５０と通電伸縮の形状記憶合金体３１０によって影響されるロッキング体３２０と、常時付勢の弾性体３４０に影響されるスライダー３３０とは、お互いに係止し合う位置になったとき、ロッキングする機構が働き、カード収納状態が形成される。このように、これらのロッキング体３２０とスライダー３３０との動作は、弾性体３５０と弾性体３６０による自然弾性力と、形状記憶合金による通電発熱形状変化に伴う伸縮動作と、常に連動してカードロッキング動作を行う。
【００２７】
さて、図３を参照して、カードコネクタ３００にカード３９０を挿入して収納される手順を次に示す。
１）　カード３９０が挿入されるとき、ロッキング体３２０の回動フック部３２６は弾性体３５０によって右方向へ移動する力が加えられており、ロッキング体３２０の右端面部３２７とスライダー３３０の右端面部３３３とは、摺動移動が可能な状態で当接されている。
２）カード３９０が挿入されると、このカードを止めて共に上下可動するスライダー３３０の下端止め部３３１にカード２９０の下端が当たり、スライダー３３０とカード３９０は一緒になって、カードコネクタ３００の本体３０１の底部付近まで移動させられる。ここでの矢印Ｍ３０は、スライダー３３０の上下移動の様子を示す。
３）　スライダー３３０がロッキング体３２０の下端面３２８より下方に移動すると、ロッキング体３２０の回動フック部３２６は、弾性体３５０によって右回転方向に倒されることとなり、スライダー２３０の上端面３３２が、ロッキング体３２０の回動フック部３２６の下端面３２８と当接して、ロッキング体３２０とスライダー３３０とが位置決めされる。こうして、ロッキング構造が完成される。
【００２８】
つぎに、カードコネクタ３００にカード３９０が収納された状態を、ユーザーらが解除する場合は、次の手順で行う。
４）ユーザーがカード３９０を取り出すために、リリースボタンを押すことにより、形状記憶合金体３１０への通電が始まって所定の電圧が与えられると、長さが縮小する変形を起こす。
５）ロッキング体３２０の止め部３２５は、形状記憶合金体３１０によって図２の右方向へ引っ張られ、ロッキング体３２０の回動フック部３２６は左回転方向に回動されて開状態となるので、弾性体３４０の上方向への付勢によりスライダー３３０が上方向に移動される。
６）スライダー３３０の上方移動と一緒にカード３９０も移動して出てくるので、カードコネクタ３００よりカード３９０が取り出される。
【００２９】
そしてまた、図４を参照するに、この図は本発明のカードコネクタの第４の実施の形態である。図４（ａ）〜（ｃ）は、カードコネクタ４００にカード４９０が挿入されて、カードロッキングがかけられる状況を説明する図である。図４（ａ）はカードコネクタ４００の正面図を、図４（ｂ）はその上面図を、図４（ｃ）はその左側面図をそれぞれ示す。
【００３０】
図４においては、本発明によるカードコネクタ４００の基本的な構成は、既に説明した図１〜３のそれに似ており、このカードコネクタ４００は、本体４０１の左側面部に略平行し、カード開口側面とは略直角に位置する形状記憶合金体４１０を備え、ロッキング体４２０およびスライダー４３０と連動した動作を行う。この形状記憶合金体４１０は、通電されて電圧がかけられるとそれ自体が発熱することにより、上下方向で長さが短縮される。この形状記憶合金体４１０は、下方では下辺側にある止め部４１１を介して基体４１２に固定されており、上方では止め部４１３を介して可動部４１４に連結されている。この可動部４１４では、ロッキング体４２０を係止させるための係止部４１５を有する。
【００３１】
図４で示される二つの弾性体（４４０，４５０）は、自然な弾性力により常時付勢されており、弾性体４４０はスライダー４３０の下面に押圧力を加えて上方に移動させる力を与えるし、また、弾性体４５０はロッキング体４２０の回動フック部４２２に引張力をかけて右方向に回動移動させる力を与える。
このロッキング体４２０は、本体４０１に固定されて設けられた回動支点部４２１を軸心に回動する部材であり、矢印Ｍ４１はその動作の様子を示す。このロッキング体４２０は下端フック部４２４を有し、カード収納状態ではスライダー４３０の上端面４３２と当接して、スライダー４３０の上方向への移動を制限することができる。
【００３２】
また、ロッキング体４２０はフック係止部４２５を備えて、形状記憶合金体４１０の可動部４１４の係止部４１５との間に係止関係を形成する。
そして、ロッキング体４２０はフック主部４２２を備え、これを右回動移動することにカード４９０が挿入される上部面の左端部箇所を掛止することでロッキングを行い、カード４９０が内部に収納されたときの排出を防止する。このフック主部４２２は左右への回動移動（矢印Ｍ４１）により上部面の開閉を行い、カード挿入または取り出しの動作に連動する。
【００３３】
ロッキング体４２０の左右の回動と連携して上下移動を可能にするスライダー４３０は、その上端面４３２において、ロッキング体４２０のフック係止部４２４の下端部と当接可能な構造である。
スライダー４３０の上端面４３２がフック係止部４２４の下端部と当接しているなら、スライダー４３０は本体４０１の最下方位置にあって、カードが収納された状態にある。また、ロッキング体４２０のフック係止部４２４が右方向に移動したときは、スライダー４３０は上方への移動が可能となって、カードがリリース（取り出し）される状態となる。
ロッキング体４２０の左右に回動する動作は、弾性体４５０の右方向への付勢と、形状記憶合金体４１０の伸縮に影響されるフック係止部４２５の動作とに、連動する構造であるので、ロッキング体４２０が右回動移動したときは、カード収納状態であり、左回動移動したときは、カードリリース（取り出し）状態となる。
【００３４】
さて、図４を参照して、カードコネクタ４００にカード４９０を挿入して収納される手順を次に示す。
１）　カード４９０が挿入される前では、スライダー４３０が上方位置にあるため、ロッキング体４２０のフック主部４２２は相対的に左方向移動されていて、開状態となっている。カード４９０が挿入されると、カード４９０を受け入れたスライダー４３０が押し下げられて、カードコネクタ４００の底部に移動される。
２）　カード４９０と共にスライダー４３０が移動すると、弾性体４５０によってロッキング体４２０のフック主部４２２は右方向に移動されていて、フック係止部４２４は左方向に移動して、スライダー４３０の位置決めがなされ、ロッキングが完了する。
【００３５】
つぎに、カードコネクタ４００にカード４９０が収納された状態を、ユーザーらが解除する場合は、次のようになる。
４）ユーザーがカード４９０を取り出すために、リリースボタンを押すことにより、形状記憶合金体４１０への通電が始まって所定の電圧が与えられと、上下方向で長さが縮小する変形を起こす。
５）　形状記憶合金体４１０の縮小により係止部４１４は下方に移動されるので、これとカム機構のように係合しているロッキング体４２０は左に回動させられ、フック主部４２２も左に移動され、カード挿入口は開状態になる。
５）　形状記憶合金体４１０の縮小により係止部４１４は下方に移動されるので、これとカム機構のようにフック係止部４２５で係合しているロッキング体４２０は、左巻き方向に回動させられ、フック主部４２２は左に移動されてカード挿入口は開状態になり、フック下端部４２４は右に移動されるので、弾性体４４０が働いてスライダー４３０は上方へ移動される。
６）カード４９０は、カードコネクタ４００から取り出される。
【００３６】
上述してきたように、本発明のカードコネクタによれば、次のような優れた効果が得られる。
本発明によるカードコネクタは、信頼性が高くコンパクトなロッキング機構を備え、カードの接続切断に伴うデータ保管に関する事故を確実に防ぐことができる。また、簡明でスペースを取らない構成とすることができ、万一の装置落下に際しても安全なように強靭な装置として設計することもできる。
本発明にかかるカードコネクタの具体的な大きな効果としては、データのダウンロードや読み込み時などのデータアクセス中においての、メモリカードの取り出しや抜き取りを防止して、データアクセスが突然に切断されるような事故を防ぐことができる。また、本発明によるカードコネクタは、メモリカード付きの画像電話機として活用されると特にその効果が大きい。
【図面の簡単な説明】
【図１】本発明によるカードコネクタの第１の実施の形態を示す構成説明図である。
【図２】本発明によるカードコネクタの第２の実施の形態を示す構成説明図である。
【図３】本発明によるカードコネクタの第３の実施の形態を示す構成説明図である。
【図４】本発明によるカードコネクタの第４の実施の形態を示す構成説明図である。
【符号の説明】
１００、２００、３００、４００　　カードコネクタ
１００’、２００’、３０１、４０１　　本体（筐体）
１１０、１３０、２１０、３１０、４１０　　形状記憶合金体
１２０、２２０、３２０、４２０　　ロッキング体
２３０、３３０、４３０　　スライダー
２４０、３４０、３５０、４４０　　弾性体
１４０　　ストッパー
【図１】
2004031238.tif 000003
【図２】
2004031238.tif 000004
【図３】
2004031238.tif 000005
【図４】
2004031238.tif 000006